(57)【要約】【課題】　録画済み番組の再生に関する管理を効率よく行うとともに、再生状況を把握しやすくする。【解決手段】　記録済みの番組に関する第１情報を表示させるとともに、記録済みの番組に関する時間領域であって正規の速度で再生された第１時間領域２０１、２０３に関する情報と正規の速度とは異なる速度で再生された第２時間領域２０２に関する情報を含む第２情報を第１情報に関する表示と重ねて表示させる。例えば、録画番組一覧表示のタイトル部の背景色を、再生済み部分に相当する領域のみ色を変える。【選択図】　図３
2004147303.tif 000002
【特許請求の範囲】
【請求項１】
　記録された番組を再生する機能を有し、再生した番組履歴の表示をすることが可能な装置であって、
　前記番組に関する第１情報を表示させるとともに、再生された時間領域に関する第２情報を、前記第１情報に重ねて表示するための管理手段を備えたことを特徴とする再生装置又は記録再生装置。
【請求項２】
　前記管理手段は、
　前記時間領域のうち、正規の視聴速度で再生された時間領域のみを第１時間領域とし、該第１時間領域を前記第１情報に重ねて表示することを特徴とする請求項１に記載の再生装置又は記録再生装置。
【請求項３】
　前記第２情報は、さらに、正規の視聴速度とは異なる速度で再生された部分を第２時間領域とし、前記第１情報に重ねて表示するための管理手段を備えたことを特徴とする請求項１又は２に記載の再生装置および記録再生装置。
【請求項４】
　前記管理手段は、前記第１時間領域と前記第２時間領域とに関する表示を互いに識別可能に表示させるための管理を行うことを特徴とする請求項３に記載の再生装置又は記録再生装置。
【請求項５】
　前記管理手段は、前記第１時間領域又は前記第２時間領域の少なくとも一方に関する表示を前記第１情報に関する表示と異なる色を有する背景として表示させるための管理を行うことを特徴とする請求項１から請求項４までのいずれか１項に記載の再生装置又は記録再生装置。
【請求項６】
　前記管理手段は、前記第１時間領域又は前記第２時間領域のうち少なくとも一方を表示するための表示可能範囲を調整する管理を行うことを特徴とする請求項１から請求項５までのいずれか１項に記載の再生装置又は記録再生装置。
【請求項７】
　さらに、前記記録済みの番組の一覧表示内において位置を指示するポインタと、該ポインタが指示するポインタ位置を時間情報に変換し、該時間情報に基づいて番組の再生開始位置を決定するか、前記ポインタが示す番組の先頭からの再生位置を決定するかを選択する手段を備えたことを特徴とする請求項１から６までのいずれか１項に記載の再生装置又は記録再生装置。
【請求項８】
　前記第１時間領域と前記第２時間領域との境界部近傍を前記ポインタにより指示した際に、前記境界部から再生を開始することを特徴とする請求項７に記載の再生装置又は記録再生装置。
【請求項９】
　前記第１時間領域と前記第２時間領域との境界部近傍を前記ポインタにより指示した際に、前記境界部よりも予め設定された時間だけ前の時間に再生を開始することを特徴とする請求項８に記載の再生装置又は記録再生装置。
【請求項１０】
　さらに、前記第２の情報を取得する手段であって、再生速度と再生時間とを検知する手段を有する請求項１から９までのいずれか１項に記載の再生装置又は記録再生装置。
【請求項１１】
　さらに、前記第１情報と第２情報とをオンスクリーンディスプレイにより表示する表示部を有する
請求項１から１０までのいずれか１項に記載の再生装置又は記録再生装置。
【請求項１２】
　記録された番組を再生する記録再生方法であって、
　記録済みの番組に関する第１情報を表示させるステップと、
　前記記録済みの番組に関する時間領域であって正規の速度で再生された第１時間領域に関する情報及び前記記録済み番組に関する時間領域であって正規の速度とは異なる速度で再生された第２時間領域に関する情報のうち少なくともいずれか一方を取得するステップと、
　取得した情報を、該情報と対応する番組と関連付けして前記第１情報に関する表示と重ねて表示させるステップと
を有する再生方法又は記録再生方法。
【請求項１３】
　コンピュータに、
　記録済みの番組に関する第１情報を表示させる手順と、
　前記記録済みの番組に関する時間領域であって正規の速度で再生された第１時間領域に関する情報及び前記記録済み番組に関する時間領域であって正規の速度とは異なる速度で再生された第２時間領域に関する情報のうち少なくともいずれか一方を取得する手順と、
　取得した情報を、該情報と対応する番組と関連付けして前記第１情報に関する表示と重ねて表示させる手順と
を実行させるためのプログラム。
【請求項１４】
　前記第１時間領域に関する情報を表示する表示領域を調整する調整手段を有することを特徴とする請求項１から請求項１１記載の再生装置又は記録再生装置。
【請求項１５】
　コマーシャル（以下、ＣＭと称する。）に関する情報から構成される第３情報を、前記第１情報及び前記第２情報に関する表示と重ねて表示させるとともに、互いを識別可能に表示させる管理を行う管理手段を備えたことを特徴とする請求項２から１１までのいずれか１項に記載の再生装置又は記録再生装置。
【請求項１６】
　さらに、前記第３情報を、前記第１情報及び第２情報に関する表示と重ねて表示させる際に、前記第３情報の表示範囲を、時間軸方向に拡大又は縮小して表示させる表示制御手段を備えることを特徴とする請求項１５に記載の再生装置又は記録再生装置。
【請求項１７】
　前記第１情報及び前記第２情報に関する表示と重ねて表示される第３情報の表示領域内をポインタにより指示した際に、前記第３情報の終端を再生開始位置として設定されることを特徴とする請求項１６に記載の再生装置又は記録再生装置。
【請求項１８】
　前記第１情報及び前記第２情報に関する表示と重ねて表示される第３情報の表示領域の後の前記第１情報又は前記第２情報表示内を前記ポインタにより指示した際に、前記第３情報の終端を再生開始位置として設定されることを特徴とする請求項１７に記載の再生装置又は記録再生装置。
【請求項１９】
　請求項１から１８までにいずれか１項に記載の表示管理機能を有することを特徴とする携帯端末装置。
【請求項２０】
　記録済み情報の内容に関する第１の情報と、前記記録済み情報の処理履歴に関する第２の情報とを管理するとともに、前記第１情報と、該第１情報と関連する前記第２情報と、を重ねて表示させるための制御を行う管理手段と
を有する装置。
【請求項２１】
　前記管理手段は、
　正規に処理された前記記録済み情報と、それ以外の前記記憶済み情報と、を識別可能に管理することを特徴とする請求項２０に記載の装置。
【発明の詳細な説明】
【技術分野】
【０００１】
　本発明は、記録再生装置に関し、特に、番組を記録した後、再生する際の指標を得るための番組管理技術に関する。
【背景技術】
【０００２】
　近年ハードディスクドライブに代表されるランダムアクセス可能な記憶媒体の性能向上（大容量化・高速化）に伴い、デジタル圧縮映像を記録蓄積し、これを再生することのできる（番組の）記録再生装置が実用化されている。例えば、図１１に示すように、市販の記録再生装置は、番組の記録日時と番組のタイトルと番組の視聴状況と、チャネルと、録画時間とを番組毎に管理しているのが一般的である。視聴状況としては、「再生済み」と「未再生」との２種類で管理を行い、録画された番組のうち一箇所でも再生すると「再生済み」と表示される。
【０００３】
　また、録画済み番組の管理方法としては、図１２に示すように、専用領域を用いて録画済み番組の再生履歴を表すグラフを表示させることにより番組の管理をする技術が提案されている（例えば、特許文献１）。
【０００４】
【特許文献１】特開2000-295558号公報（第７図、明細書第００２８から００２９段落）
【発明の開示】
【発明が解決しようとする課題】
【０００５】
　しかしながら、「再生済み」と「未再生」との２種類のみを表示するため、早送り再生等で内容を大雑把に確認した後、後日視聴する意図で保存されている番組と、実際の再生済みの番組とを識別することができなかった。上記市販の記録再生装置の小型化が進み、録画済み番組などの再生履歴をグラフ表示させるための領域として、それほど大きな領域を確保することは難しい。例えば、特開2000-295558号公報において提案されている技術でも、限られた面積の表示画面内に再生履歴表示専用の表示領域を設けているため、再生履歴以外の情報を表示するための領域が狭くなってしまうという問題が生じる。また、コマーシャルに関する取り扱いを容易にすると便利である。
【０００６】
　本発明は、早送り再生を行った番組と通常再生が済んだ番組とを、限られた表示領域内に表示するための記録再生技術を提供することを目的とする。
【課題を解決するための手段】
【０００７】
　本発明の一観点によれば、記録された番組を再生する機能を有し、再生した番組履歴の表示をすることが可能な装置であって、前記番組に関する第１情報を表示させるとともに、再生された時間領域に関する第２情報を、前記第１情報に重ねて表示するための管理手段を備えたことを特徴とする再生装置又は記録再生装置が提供される。
【０００８】
　上記装置によれば、第２情報を第１情報に関する表示と重ねて表示させることができるため、表示領域の有効利用が可能となる。加えて、ユーザは感覚的に第２情報を把握することができる。尚、再生装置又は記録再生装置とは、再生専用装置であっても、再生処理と記録処理とを行うことが出来る装置であっても良いことを意味する。
【０００９】
　前記管理手段は、前記時間領域のうち、正規の視聴速度で再生された時間領域のみを第１時間領域とし、該第１時間領域を前記第１情報に重ねて表示することを特徴とする。或いは、前記第２情報は、さらに、正規の視聴速度とは異なる速度で再生された部分を第２時間領域とし、前記第１情報に重ねて表示するための管理手段を備えたことを特徴とする。これにより、時間情報を感覚的に理解することができる。さらに、色により識別すれば、再生種別が識別しやすい。
【００１０】
　本発明の他の観点によれば、記録手段と再生手段とを備えた記録再生装置であって、前記第１時間領域に関する情報を表示する表示領域を調整する調整手段を有することを特徴とする記録再生装置が提供される。
【００１１】
　また、前記記録済みの番組に関する時間領域であってコマーシャルに関する第３情報を、前記第１情報及び前記第２情報に関する表示と重ねて表示させるとともに、互いを識別するための表示管理を行うこともできる。
【発明の効果】
【００１２】
　以上のように、本発明による記録再生装置に係る再生履歴管理技術を用いると、録画済み番組がどの程度再生済みであるのかを容易に把握できる。加えて、再生履歴専用表示領域を設けなくても、「録画日時」「番組タイトル」「録画チャンネル」「録画時間」等、再生履歴以外の情報を表示する領域に対してより広い領域を割り当てることができ、再生履歴以外の情報を詳細に表示することが可能となる。
【００１３】
　表示画面上におけるＣＭ領域を見かけ上拡大して表示することにより、ＣＭ領域の視認性が良くなり、番組表示内におけるＣＭ領域の位置の把握が容易になる。さらに、ＣＭ領域の直後に位置する本編の先頭から再生したい場合においても、ＣＭ領域を拡大表示することにより、ＣＭ領域の範囲のポインタによる指示が容易になるため、ユーザの操作性を向上することができるという利点がある。
【発明を実施するための最良の形態】
【００１４】
　本明細書において、情報の表示と他の情報の表示とを重ねるとの記載、例えば、「第１情報の表示と第２情報の表示とを重ねる」との記載は、第１情報の表示領域全域に重ねる場合の他に、一部領域に重ねる場合を含む。本発明の実施の形態について説明する前に、発明者が行った考察についてまず説明する。発明者は、早送り再生された部分は再生済みと判断せず、正規の速度で再生された部分のみを再生済みと判断し、その上で、例えば、記録済みの番組を管理する際に、タイトル表示領域の背景色を再生済み領域と未再生領域とで異なる色に表示することにより、番組がどの程度視聴済みであるかを確認することができると考えた。このようにすると、再生履歴を表示するための専用表示領域を必要とせずに、録画日時やタイトル、録画チャンネル、録画時間等を表示した領域に再生履歴の表示領域も割り当てることができるため、より詳細な内容の一覧表示を、限られた表示領域内で行うことができる。
【００１５】
　上記考察に基づき、以下に、本発明の実施の形態による記録再生技術について、図面を参照して説明する。図１（ａ）は、本発明の第１の実施の形態による記録再生装置の一例として示した正面図である。図１（ａ）に示すように、本実施の形態による記録再生装置は、図示しない内蔵ハードディスクに番組を記憶させることができるとともに、ビデオテープを用いて記録再生が可能であり、かつ、ＤＶＤ再生とが可能なハードディスク内蔵のビデオ・ＤＶＤ一体型プレーヤである。このプレーヤ１は、内蔵ハードディスクの他に、ビデオテープ用スロット３と、ＤＶＤディスク用スロット５とを有している。さらに、内蔵ハードディスクやビデオプレーヤ用の第１操作部７と、ＤＶＤプレーヤ用の第２操作部１１とを有している。さらに、このプレーヤ１には、例えば液晶表示部１５が設けられている。この液晶表示部１５は、プレーヤ１の動作状況などを表示させることができる。液晶表示部１５は、ＬＥＤなどの他の表示機能を用いても良い。
【００１６】
　本実施の形態による記録再生装置１を用いると、内蔵ハードディスクに番組を記録させることができるとともに、ビデオテープに記録することも可能である。さらに、例えばＤＶＤで映画を見ながら、又は、音楽ＣＤを聞きながら、同時にテレビ録画が可能である。尚、ＤＶＤ再生のみでなくＤＶＤ記録が可能になっていても良い。内蔵ハードディスクの代わりに、他の記録メディア、例えば不揮発性メモリを有する記録メディアを用いた装置も対象となる。小型の携帯端末に記録再生装置を内蔵させる場合には、内蔵不揮発性メモリをハードディスクの代わりとして機能させることもできる。
【００１７】
　図１（ｂ）は、本発明の第１の実施の形態による記録再生装置の構成例を示す機能フロック図である。図１（ｂ）に示すように、本実施の形態による記録再生装置Ａは、映像信号源であるチューナ１０１と、映像信号および音声信号をデジタル情報に圧縮（変換）するエンコーダ１０２と、デジタル情報に圧縮（変換）された映像データを蓄積するドライブ（内蔵ハードディスク又は他の記録メディア）１０３と、圧縮された映像および音声データを復元するデコーダ１０４と、録画されている番組情報を表示する表示装置（オンスクリーンディスプレイ：ＯＳＤ機能を含む）１０５と、装置の動作を指示する入力装置１０６と、各構成要素を制御するシステムコントローラ１０７とを含む。図１（ａ）の液晶表示部１５が表示装置１０５の機能の一部又は全部の機能を有していても良いし、別途、テレビモニタにより表示装置１０５の機能を発揮させても良い。但し、液晶表示部１５により以下に説明する番組情報と再生履歴に関する情報とを表示させると便利である。システムコントローラ１０７は、正規の再生速度で再生されたか早送り再生速度で早送り再生されたかを、例えば再生モードの切換え操作に応じて又は再生速度を検知することにより番組毎に再生時間と対応させて記憶し、記憶に基づいて表示領域を管理する表示領域管理部１０７ａを有している。
【００１８】
　以下、図１に示す記録再生装置の動作について説明する。放送波は、チューナ１０１に供給され、入力装置１０６を通して、システムコントローラ１０７により制御されたチャネル（ＣＨ）に選局される。選局されたチャネルの映像及び音声信号は、エンコーダ１０２によりデジタル圧縮され、ドライブ１０３に記録される。その後、入力装置１０６により再生が指示されると、システムコントローラ１０７はドライブ１０３から圧縮データを読み出し、デコーダ１０４において圧縮データを伸張し、映像及び音声データを生成し、図示しないモニターへ映像信号（Ｖｉｄｅｏ　ｏｕｔ）および音声信号（Ａｕｄｉｏ　ｏｕｔ）を出力する。再生中のシステムコントローラ１０７は、入力装置１０６からの入力指示に基づいて、通常速度での再生と、早送り再生と、を選択可能である。
【００１９】
　図２は、本実施の形態による記録再生装置により番組を管理するための管理データの元となる再生履歴取得動作の例を示す図である。図２に示す再生履歴取得動作では、番組内容と、動作と、再生履歴とが同じ時間軸（横軸）に対して示されている。図２に示す再生履歴取得動作においては、番組先頭の時間１００１からある時間経過した時間１００２までを早送り再生し、時間１００２から時間１００３までを通常速度で再生し、時間１００３から時間１００４までを早送り再生し、時間１００４から時間１００５までを通常再生した例が示されている。
【００２０】
　図２に示す動作を行った場合、システムコントローラ１０７の表示領域管理部１０７ａは、通常速度で再生した第１期間（１００２から１００３まで）、第２期間（１００４〜１００５まで）に相当する位置を時間データとして記憶する。図２の時間軸全体で６０分であり、時間軸全体が録画済みデータとすると、番組の先頭から２４分から３２分までの領域と４８分から６０分まで領域とを再生済み領域（斜線を施した領域）として記憶する。従って、システムコントローラ１０７が保持する再生履歴は符号１００６に示すようになる。
【００２１】
　図３は、図２に示す動作に基づいて作成された再生履歴管理データの構成例を示す図である。図３に示すように、再生履歴管理データは、番組再生日時と、番組のタイトルと、チャネル番号と、再生時間とを含んでいる。例えば、システムコントローラ１０７（図１）は、表示装置１０５（図１）に表示されるタイトル表示領域の背景色を、再生済み領域と未再生領域とで異なる色に表示させる。これにより、ユーザは、図３に示す再生履歴管理画面を通じて、「パソコンサンデー」は番組の一部である再生済み領域２０１及び２０３（斜線領域）を再生したのみであり、番組の大部分が未再生領域２０２（空白領域）であることを知ることができる。また、「スターアクション」は全て空白領域（未再生）であり、「クイズ侃侃諤諤」は、ほとんどの領域が再生済みであることを知ることができる。
【００２２】
　本実施の形態による記録再生技術によれば、通常の再生と早送り再生とを区別し、これらの再生種別と番組及び再生時間を対応付け、通常の再生に対応する時間領域を、番組のタイトル情報を表示する領域上に重ねて表示するための管理も行うため、再生の履歴情報（再生種別と再生時間を含む）を表示するための専用表示領域が不要となる。従って、再生の履歴情報以外の情報を表示するための領域を広くとることができ、或いは、全体の表示領域をコンパクトにすることができるという利点がある。
【００２３】
　次に本発明の第２の実施の形態による記録再生技術について、図面を参照して説明する。図４は、本実施の形態による記録再生技術における録画済番組の一覧表示画面例を示す図である。図４に示すように、システムコントローラ１０７は、行方向に並ぶ、「日時」領域と「タイトル」領域と「放送チャンネル」領域（Ｃｈ領域）と「録画時間」とを含む領域を１単位として、この１単位を全再生時間とする。次いで、例えば、再生済み領域と未再生領域とで異なる色の背景色を付すことで、再生履歴情報を表示する。以上の操作により、ユーザは、図４に示す録画番組タイトル管理画面を通じて、図３と同様に再生履歴を知ることができる。
【００２４】
　本実施の形態による記録再生技術では、第１の実施の形態と比べて、全領域を一単位として、この単位に対して再生履歴情報を重ねて表示することにより、さらに再生履歴情報を詳細に確認することができる。
【００２５】
　次に、本発明の第３の実施の形態による記録再生技術について、図面を参照して説明する。図５は、本実施の形態による記録再生技術における録画済番組の一覧表示画面例を示す図である。図５に示すように、録画済番組の一覧表示画面上に画面上の位置情報を入力するポインタ４０１が表示されている。この図では、「パソコンサンデー」の内部の一点を指示している。ポインタ４０１が、この位置を指示する状態において、入力装置１０６（図１）を通じてポインタ４０１位置からの再生が指示された場合、システムコントローラ１０７（図１）は、タイトル領域上でのポインタ４０１の位置情報に基づいて、番組内の時間に相当する時間情報を求め、この時点から再生を開始する。図５において、ポインタ４０１はパソコンサンデーという番組の未再生（又は早送り）領域をポインタ４０１が指示しており、この未再生部分から番組を再生するように制御することもできる。ポインタ４０１の指示する位置からの再生開始を行う方法としては、図９に示す操作部の再生ボタン９０２を押す操作、汎用的に使用される「決定」ボタン９０４を押す操作、または、図１０に示すマウス９００のボタン９０１又は９０３をダブルクリックする操作等を用いることが可能である。
【００２６】
　本実施の形態による記録再生技術によれば、録画済番組一覧画面において、未再生部分など所望の位置からの再生を直接指示することが可能になる。
【００２７】
　次に、本発明の第４の実施の形態による記録再生技術について、図面を参照して説明する。図６は、本実施の形態による記録再生技術における録画済番組の一覧表示画面例を示す図である。図６に示す録画済番組の一覧表示画面において、符号４０１は画面上の位置情報を入力するポインタであり、図６においては、番組「パソコンサンデー」のある領域を指示している。ポインタ４０１がこの位置を指示している状態において、入力装置１０６を通じて番組先頭位置からの再生を指示することができる。この場合には、番組を特定できれば、ポインタ４０１の指示する時間軸上の位置には特に影響されない。すなわち、先頭位置からの再生が指示されると、ポインタ４０１の指示する位置や、再生、早送り再生、未再生の再生種別にかかわらず、システムコントローラ１０７は、番組の先頭位置から再生を開始する。尚、番組先頭からの再生開始を指示する方法としては、第３の実施の形態と同様に、図９に示す「再生」ボタン９０２を押す操作、或いは、図１０に示すマウス１０００の右ボタン１００３のクリックにより現れるポップアップメニュー８０１内に表示されている操作であって、再生操作の選択することにより再生が可能である。さらに、記録済みの番組の一覧表示内において位置をマウスで指示すると、指示された位置を時間情報に変換し、この時間情報に基づいて番組の再生開始位置を決定することも可能である。或いは、マウスが示す番組の先頭からの再生位置を決定することも可能であり、両者のいずれかを選択する手段を設けるのが好ましい。
【００２８】
　本実施の形態による記録再生技術では、録画済み番組一覧表示画面において、ポインタなどにより番組先頭位置を高精度に指示することなく、番組先頭からの再生を指示することが可能となる。
【００２９】
　次に、本発明の第５の実施の形態による記録再生技術について、図面を参照して説明する。図７は、本実施の形態による記録再生技術における録画済番組の一覧表示画面のうち１番組のみを簡単のため取り出した例を示す図である。図７に示す録画済番組の表示画面において、符号４０１は、画面上の位置情報を入力するポインタであり、図７においては、番組「パソコンサンデー」の一部を指している。ポインタ４０１がこの位置を指示している状態で、入力装置１０６（図１）を通じて、ポインタ４０１位置からの再生が指示された場合、システムコントローラ１０７は、タイトル領域上での位置情報から番組内の時間に相当する時間情報を求め、この時間が再生済み領域６０２と未再生領域６０３との境界部６０４が存在する判定領域６０１内であった場合に、この境界部６０４から再生を開始する。
【００３０】
　本実施の形態による技術によれば、録画済み番組一覧表示画面において、ポインタ４０１により未再生部の頭部（開始端位置）を高精度に指示しなくても、未再生部分の先頭位置から再生させる指示を行うことが可能となる。
【００３１】
　次に、本発明の第６の実施の形態による記録再生技術について、図面を参照して説明する。図８は、本実施の形態による記録再生技術における録画済番組の一覧表示画面のうち１番組のみを取り出した例を示す図である。簡単のため、図８に示す録画済番組の表示画面には、録画済番組の１番組表示画面のみが示されている。符号４０１は、画面上の位置情報を入力するポインタであり、図８では番組「パソコンサンデー」の一部を指示している。ポインタ４０１がこの位置を指示している状態において、ポインタ４０１の位置からの再生が指示された場合、システムコントローラ１０７は、タイトル領域上での位置情報から番組内の時間に相当する時間情報を求め、この時間が再生済み領域７０２から未再生領域７０３までの間に、境界部である判定領域７０１が存在する場合、この境界部７０４から、予め設定された時間７０５だけ遡った位置から再生を開始する。
【００３２】
　本実施の形態によれば、録画済み番組一覧表示画面において、再生/未再生境界部直前を、ポインタ４０１により高精度に指示しなくても、所望の位置、例えば、再生済み部の終了部の再生を指示することが可能となり、再生済み部の終了部を再度視聴することにより、番組内容を再確認でき、よりスムーズな視聴が可能となる。　
【００３３】
　次に、本発明の第７の実施の形態による記録再生技術について、図面を参照して説明する。図１３は、本実施の形態による記録再生技術における録画済番組の一覧表示画面であって、簡単のために１番組のみを取り出した表示画面例を示す図である。図１３に示すように、表示画面には、再生済み領域１３０２と、それに続く未再生領域１３０１とが含まれている。未再生領域１３０１内には、再生済み領域１３０２の終了時点から始まるＣＭ領域１３０３と、ＣＭ領域１３０４と、ＣＭ領域１３０３，１３０４を除いた本編の領域が含まれている。
【００３４】
　ＣＭ領域１３０３、１３０４は、テレビジョン放送の番組内に挿入されるＣＭ情報から構成される領域である。表示画面におけるＣＭ領域１３０３、１３０４の背景色は、未再生領域１３０１のうちＣＭ領域１３０３，１３０４を除いた本編の領域と、再生済み領域１３０２とは異なる背景色が使用される。ＣＭ領域１３０３，１３０４は、例えば、未再生領域１３０１および再生済み領域１３０２の表示に対して上書き表示される。また、録画済番組中のＣＭ領域の検出は、例えば音声データに基づいて行われる。ステレオ／モノラルの切り替えなど、音声信号の形式が変化した点を検出し、番組の本編とＣＭ区間とが切り替わる点であると推定する。但し、ＣＭ区間の検出方法は、上記の例に限定されるものではない。例えば、映像データに基づいてシーンの変化点を検出し、それを本編とＣＭ区間とが切り替わる点としても良いし、チューナから受信した映像データ又は音声データにＣＭ区間と本編とを区別する情報が含まれている場合、その情報を使用してＣＭ区間の検出を行ってもよい。録画済番組の表示画面において、画面上の位置情報を入力するポインタ４０１が、番組「パソコンサンデー」の一部を指示している。ポインタ４０１がＣＭ領域１３０３，１３０４以外の領域内の位置１３０５を指示しており、入力部１０６（図１）を通じてポインタ４０１の位置からの再生が指示されると、システムコントローラ１０７は、タイトル領域上での位置情報から番組内の時間に相当する時間情報を求め、ＣＭ情報が記録されていない位置１３０５から、録画済みの番組の再生を開始する。
【００３５】
　尚、小型画面の場合には、ＣＭ領域を時間軸に沿って表示させると、その分だけ再生領域が狭くなる場合がある。また、一般的にＣＭ領域は番組中において時間軸に沿って断続的かつ細切れに配置されるため、全てのＣＭ領域を表示させると表示が複雑になる場合がある。対策として、ＣＭ領域は時間軸状に沿ってほとんど幅のない単なる線状に表示させる表示モードを備えていると便利である。この場合においても、ＣＭ領域を再生開始の指標として用いることも可能である。
【００３６】
　本発明の第７の実施の形態による技術によれば、番組内でＣＭが記録されている領域を表示画面上に明示することができるため、ユーザがＣＭ領域からの再生開始を望んでいない場合には、ポインタによりＣＭ領域を避けて再生開始位置を指定することにより、番組の本編から視聴を開始することができる。
【００３７】
　次に、本発明の第８の実施の形態による記録再生技術について、図面を参照して説明する。図１４は、本実施の形態による記録再生技術における録画済番組の一覧表示画面のうち簡単のため１番組のみを表示した図である。図１４に示すように、本実施の形態による表示画面は、未再生領域１４０１と、再生済み領域１４０２とを含んでおり未再生領域１４０１内にＣＭ領域１４０３が含まれている。より詳細には、ＣＭ領域１４０３は、表示画面上のＣＭ領域開始位置１４０４からＣＭ領域終了位置１４０５までの範囲に存在する。ここで、ＣＭ領域開始位置１４０４およびＣＭ領域終了位置１４０５は、番組本編とＣＭ領域の境界部である。また、図１４に示す録画済番組の表示画面において、符号４０１は、画面上の位置情報を入力するためのポインタであり、図１４においては、番組「パソコンサンデー」のＣＭ領域内を指示している。
【００３８】
　ポインタ４０１が図１４に示す位置を指示している状態で、入力装置１０６（図１）を通じて、ポインタ４０１の位置からの再生が指示された場合、システムコントローラ１０７は、タイトル領域上での位置情報から番組内の時間に相当する時間情報を求め、この時間がＣＭ領域１４０３の範囲内であった場合に、このＣＭ領域のＣＭ領域終了位置１４０５から再生を開始する。すなわち、この場合には、ＣＭ領域の指示が、ＣＭ領域の終了時点からの再生指示と見なされるように制御される。
【００３９】
　以上、本実施の形態による技術を用いると、録画済み番組一覧表示画面において、ポインタによるＣＭ領域の終了位置をそれほど精度良く指示しなくても、指示位置がＣＭ領域内に入っていれば、指示されたＣＭ領域の終了位置から再生させる旨の指示を行うことができるため、ユーザは、簡単な操作によりＣＭ領域に続く本編の先頭位置から視聴することができる。ここで、上記７の実施の形態では、ＣＭ領域をポインタ４０１で指示したが、ＣＭ領域に続く本編領域をポインタ４０１で指示することにより、指示された本編領域の前のＣＭ領域の終了位置から再生されるようにしてもよい。これにより、上記７の実施の形態と同様の効果を得ることができる。
【００４０】
　上記の第７の実施の形態においても、ＣＭ領域を時間軸上において他の領域と異なる尺度で表示させるモードを備えていても良い。つまり、表示画面上におけるＣＭ領域を見かけ上拡大して表示することにより、ＣＭ領域の視認性が良くなり、番組表示内におけるＣＭ領域の位置の把握が容易になる。さらに、上記の第８の実施の形態による技術を用いてＣＭ領域の直後に位置する本編の先頭から再生する場合においても、ＣＭ領域を拡大表示することにより、ＣＭ領域の範囲のポインタ４０１による指示が容易になるため、ユーザの操作性を向上することができる。
【００４１】
　以上、本実施の形態に沿って説明したが、本発明はこれらの例に限定されるものではなく、種々の変形が可能であるのは言うまでもない。例えば、記録再生装置は、ビデオレコーダなどの家電機器であっても良いし、上記機能を有するアプリケーションソフトウェア又は専用ハードウェアを備えたパーソナルコンピュータなどの情報機器でも良い。すなわち、本実施の形態による記録再生技術は、ハードディスクを備えたハードディスクビデオのみではなく、一般的な録音テープを用いるビデオレコーダや、デジタルビデオカメラ、パーソナルコンピュータなど種々の装置に適用することが可能である。
【００４２】
　また、上記例では、記録処理と再生処理との両方を行うことができる記録再生装置を例にして説明した。この場合には、再生履歴はその装置内の例えばハードディスク又は他の媒体（記録型ＤＶＤなど）に記録されて残っているのでこれを用いれば良い。一方、再生専用装置を用いた場合には、媒体に再生情報を記憶させることはできない。この場合には、例えば記録型ＤＶＤなどに記録されている再生情報を装置が読み込んで、これを利用することになる。
【００４３】
　また、第３の情報を表示する領域としてＣＭを表示するＣＭ領域を例示したが、第１情報と第２情報以外の性質の異なる情報であれば、その他の情報も含まれる。
【産業上の利用可能性】
【００４４】
　テレビ放送受信機能とその表示記録機能とを備えた携帯電話機などの携帯端末も対象範囲である。特に、表示画面が比較的小さい携帯端末において本発明による各技術は大きな利点を有するものである。
【図面の簡単な説明】
【００４５】
【図１】図１（ａ）は、本発明の第１の実施の形態による記録再生装置の正面図であり、図１（ｂ）は、記録再生装置の構成例を示す機能ブロック図である。
【図２】本発明の第１の実施の形態による記録再生装置による再生履歴取得動作例を示す図である。
【図３】本発明の第１の実施の形態による記録再生装置における再生履歴管理技術を用いて作成された録画済み番組一覧表示例を示す図である。
【図４】本発明の第２の実施の形態による記録再生装置における再生履歴管理技術を用いて作成された録画済み番組一覧表示例を示す図である。
【図５】本発明の第３の実施の形態による記録再生装置における再生履歴管理技術を用いて作成された録画済み番組一覧表示における再生開始位置指定の例を示す図である。
【図６】本発明の第４の実施の形態による記録再生装置における再生履歴管理技術を用いて作成された録画済み番組一覧表示における再生開始位置指定の例を示す図である。
【図７】本発明の第５の実施の形態による記録再生装置における再生履歴管理技術を用いて作成された録画済み番組一覧表示における再生開始位置指定の例を示す図である。
【図８】本発明の第６の実施の形態による記録再生装置における再生履歴管理技術を用いて作成された録画済み番組一覧表示における再生開始位置指定の例を示す図である。
【図９】本発明の実施の形態による記録再生装置において、再生開始位置を指示するリモコンの構成例を示す図である。
【図１０】本発明の実施の形態による記録再生装置における再生開始位置を指示するマウスの構成例を示す図である。
【図１１】従来方式による再生履歴表示方法を示す図である。
【図１２】従来方式による別の再生履歴表示方法を示す図である。
【図１３】本発明の第７の実施の形態による記録再生装置における再生履歴管理技術を用いて作成された録画済み番組一覧表示における再生開始位置指定の例を示す図である。
【図１４】本発明の第８の実施の形態による記録再生装置における再生履歴管理技術を用いて作成された録画済み番組一覧表示における再生開始位置指定の例を示す図である。
【符号の説明】
【００４６】
１…プレーヤ、３…ビデオテープ用スロット、５…ＤＶＤディスク用スロット、７…ビデオテープ・ハードディスク用操作部、１１…ＤＶＤプレーヤ用操作部、１５…液晶表示部、１０１…映像信号源（チューナ）、１０２…エンコーダ、１０３…ドライブ、１０４…デコーダ、１０５…表示装置、１０６…入力装置、１０７…システムコントローラ、１０７ａ…表示領域管理部（番組管理手段）、２０１…再生済み領域、２０２…未再生領域、２０３…再生済み領域、３０１…再生済み領域、３０２…未再生領域、３０３…日時、タイトル、放送チャンネル、録画時間を一体化した領域、４０１…ポインタ、６０１…判定領域、６０２…判定領域開始位置、６０３…判定領域終了位置、６０４…再生済み領域/未再生領域境界部、７０１…判定領域、７０２…判定領域開始位置、７０３…判定領域終了位置、７０４…再生済み領域/未再生領域境界部、７０５…再生開始位置、８０１…ポップアップメニュー、１００１…早送り再生開始位置、１００２…再生開始位置、１００３…早送り再生開始位置、１００４…再生開始位置、１００５…再生終了位置、１３０１…未再生領域、１３０２…再生済み領域、１３０３、１３０４…ＣＭ領域、１３０５…再生開始位置、１４０１…未再生領域、１４０２…再生済み領域、１４０３…ＣＭ領域、１４０４…ＣＭ領域開始位置、１４０５…ＣＭ領域終了位置。
【図１】
2004147303.tif 000003
【図２】
2004147303.tif 000004
【図３】
2004147303.tif 000005
【図４】
2004147303.tif 000006
【図５】
2004147303.tif 000007
【図６】
2004147303.tif 000008
【図７】
2004147303.tif 000009
【図８】
2004147303.tif 000010
【図９】
2004147303.tif 000011
【図１０】
2004147303.tif 000012
【図１１】
2004147303.tif 000013
【図１２】
2004147303.tif 000014
【図１３】
2004147303.tif 000015
【図１４】
2004147303.tif 000016